(57)【特許請求の範囲】
【請求項１】
固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器であって、
前記衝撃吸収部材は、前記凹所の内側に固定される環状部と、この環状部の周方向に間隔を置いて配置されるとともに互いに接近しながら螺旋状に起立する複数のアーム部と、当該アーム部の先端に連結されることで前記凹所の底面よりも上方に空間を設けて配置されるとともに前記受皿部材を収納する受皿収納部とからなり、
前記受皿収納部の周壁の上端に張り出し部が一体に設けられ、
複数の前記アーム部は、それぞれ前記環状部の下端内側から起立するとともに前記受皿収納部の周壁の上端側において前記張り出し部の下端に連結されていることを特徴とするコンパクト容器。
【請求項２】
請求項１において、前記環状部及び前記容器本体にそれぞれ、互いに嵌合する凹部及び凸部からなる回り止め手段を設けたことを特徴とするコンパクト容器。
【請求項３】
請求項１において、前記容器本体に、前記環状部の上端に接触する張り出し部を有し当該張り出し部の内側にアームを覆うカバーを備えた中枠部材を設けたことを特徴とするコンパクト容器。
【発明の詳細な説明】
【技術分野】
【０００１】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器に関するものである。
【背景技術】
【０００２】
コンパクト容器は化粧料容器に用いられることが一般的であるが、受皿部材に固定される固形化粧料は、簡単に塗布できるように崩れ易くできている。このため、従来から、受皿部材と容器本体との間に衝撃吸収部材を配置したものが既知である。こうした衝撃吸収部材としては、容器本体の凹所底面と受皿部材の底部との間に空洞を形成するように中空凸状に形作られたクッション部を有し、受皿部材の側壁をフランジ部で保持して当該側壁との間に隙間を形成するものがある（例えば、特許文献１参照）。
【先行技術文献】
【特許文献】
【０００３】
【特許文献１】特開２０１０−１７８８９８号公報
【発明の概要】
【発明が解決しようとする課題】
【０００４】
しかしながら、上述したクッション部は、容器本体の凹所底面と受皿部材の底部との間に空洞を形成するにすぎないため、コンパクト容器が落下等によって強い衝撃を受けることで空洞が潰れることがある。また、従来の衝撃吸収部材は、受皿部材の側壁をフランジ部で保持するため、衝撃吸収機能は、衝撃吸収部材の材質に依存するところが大きい。このため、従来のコンパクト容器は結果的として、固形化粧料に亀裂や欠けを生じさせることがあった。
【０００５】
本発明の目的とするところは、受皿部材が受ける衝撃を効果的に吸収することで、受皿部材に固定された固体物に亀裂や欠けを生じさせない新規なコンパクト容器を提供することにある。
【課題を解決するための手段】
【０００６】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器であって、
前記衝撃吸収部材は、前記凹所の内側に固定される環状部と、この環状部の周方向に間隔を置いて配置されるとともに互いに接近しながら螺旋状に起立する複数のアーム部と、当該アーム部の先端に連結されることで前記凹所の底面よりも上方に空間を設けて配置されるとともに前記受皿部材を収納する受皿収納部とからなり、
前記受皿収納部の周壁の上端に張り出し部が一体に設けられ、
複数の前記アーム部は、それぞれ前記環状部の下端内側から起立するとともに前記受皿収納部の周壁の上端側において前記張り出し部の下端に連結されていることを特徴とするものである。
【０００７】
なお、本発明において、「環状」とは、横断面形状が円形のものは勿論、横断面形状が矩形等のものも含み、横断面形状が周回して閉じられた形状のものであればよい。また、「螺旋状」とは、「渦巻き状」だけでなく、「弓なり状」等の単純に湾曲した形状のものも含む意味である。更に、衝撃吸収部材の環状部は、例えば、容器本体に設けた凹所の内周面に嵌合させることで、容器本体に対して固定することができるが、その固定手段については限定されない。
【０００８】
本発明では、前記環状部及び前記容器本体にそれぞれ、互いに嵌合する凹部及び凸部からなる回り止め手段を設けることができる。なお、本発明において、「凹部」とは、単なる「凹み」だけでなく、「切り欠き部」や「溝」等も含む意味である。
【０００９】
また、本発明では、前記容器本体に、前記環状部の上端に接触する張り出し部を有し当該張り出し部の内側にアームを覆うカバーを備えた中枠部材を設けることができる。
【発明の効果】
【００１０】
本発明では、容器本体の凹所に固定した環状部から複数のアーム部を起立させるとともに、当該アーム部の先端に受皿収納部を連結することで、受皿収納部を凹所の底面に接触させることなく配置することができる。
【００１１】
即ち、受皿部材は、衝撃吸収部材によって、凹所の上端開口は勿論、その内側面及び底面に対しても離間した状態に支持される。このため、容器本体からの衝撃は、衝撃吸収部材のアーム部を通して伝わるので、クッションのように空洞が潰れて受皿収納部が凹所の底面に接触することにより、受皿部材が容器本体からの衝撃を直接受けることがない。
【００１２】
しかも、アーム部は、互いに接近しながら螺旋状に起立することから、容器本体が前後左右上下のいずれから衝撃を受けても、その衝撃はアーム部の螺旋形状によって吸収し又は分散させることができる。このため、受皿部材がアーム部を通して受ける衝撃も小さく抑えることができる。
【００１３】
従って、本発明によれば、受皿部材が受ける衝撃を効果的に吸収することで、受皿部材に固定された固体物に亀裂や欠けを生じさせない新規なコンパクト容器を提供することができる。
【図面の簡単な説明】
【００１４】
【図１】本発明の参考例の形態である、化粧用コンパクト容器を示す縦断面図である。
【図２】同形態に係る、衝撃吸収部材を示す平面図である。
【図３】同形態にて、衝撃吸収部材を容器本体に固定するための方法を説明するための要部断面斜視図である。
【図４】本発明の第２の形態である、化粧用コンパクト容器を示す縦断面図である。
【図５】同形態に係る、衝撃吸収部材を示す平面図である。
【図６】同形態にて、衝撃吸収部材を容器本体に固定するための方法を説明するための要部断面斜視図である。
【発明を実施するための形態】
【００１５】
以下、図面を参照して、本発明の一形態である、化粧用コンパクト容器を詳細に説明する。
【００１６】
図１は、参考例の形態である、化粧用コンパクト容器１０である。符号１１は、受皿部材である。受皿部材１１は、横断面が円形の周壁１１ａの下端に底壁１１ｂを一体に設け、その内側に、固体物たる固形化粧料Ｓを固定保持する。
【００１７】
符号１２は、容器本体である。容器本体１２は、横断面が円形の周壁１２ａの下端に底壁１２ｂを一体に設け、その内側には、受皿部材１１を収納する凹所Ｃ１が形成されている。凹所Ｃ１は、周壁１２ａの内周面１２ｆ1から内側に膨出する複数の膨出部１２ｃで形成されている。膨出部１２ｃは、内周面１２ｆ1に沿って、その周方向に間隔を置いて配置されている。
【００１８】
また図１中、符号１３は、凹所Ｃ１の上端開口を開閉可能な蓋体である。蓋体１３は、容器本体１２に対してピンＰを介して連結されている。蓋体１３は、外蓋体１３ａと内蓋体１３ｂからなる。内蓋体１３ｂの内側には鏡１９が固定されている。
【００１９】
符号Ｍ１は、衝撃吸収部材である。衝撃吸収部材Ｍ１は、凹所Ｃ１の内側に固定される環状部１４を有する。環状部１４は、同図に示すように筒体部１４ａを有し、この筒体部１４ａを膨出部１２ｃの内側面１２ｆ2に嵌合させることで、容器本体１２に対して固定する。環状部１４には、図２に示すように、周方向に間隔を置いて複数（本形態では４本）のアーム部１５が一体に設けられている。アーム部１５はそれぞれ、図１に示すように、筒体部１４ａの下端内側から互いに接近しながら螺旋状に起立する。アーム部１５の先端には、受皿部材１１を収納する受皿収納部１６が一体に設けられている。
【００２０】
受皿収納部１６は、横断面が円形の周壁１６ａの下端に底壁１６ｂを一体に設け、その内側には、図２に示すように、受皿部材１１を収納する凹所Ｃ２が形成されている。アーム部１５は、周壁１６ａの上端側に連結されている。これにより、受皿部材１１は、アーム部１５を介して容器本体１２に対して弾性的に支持されている。
【００２１】
参考例の形態では、図１に示すように、容器本体１２の凹所Ｃ１に固定した環状部１４から複数のアーム部１５を起立させるとともに、当該アーム部１５の先端に受皿収納部１６を連結することで、受皿収納部１６を凹所Ｃ１の底面１２ｆ3に接触させることなく配置することができる。
【００２２】
即ち、受皿部材１１は、衝撃吸収部材Ｍ１によって、凹所Ｃ１の上端開口は勿論、膨出部１２ｃの内側面１２ｆ2及び底面１２ｆ3に対しても離間した状態に支持される。このため、容器本体１２からの衝撃は、衝撃吸収部材Ｍ１のアーム部１５を通して伝わるので、クッションのように空洞が潰れて受皿収納部１６が凹所Ｃ１の底面１２ｆ2に接触することにより、受皿部材１１が容器本体１２からの衝撃を直接受けることがない。
【００２３】
しかも、アーム部１５は、互いに接近しながら螺旋状に起立することから、容器本体１２が前後左右上下のいずれから衝撃を受けても、その衝撃はアーム部１５の螺旋形状によって吸収し又は分散させることができる。このため、受皿部材１１がアーム部１５を通して受ける衝撃も小さく抑えることができる。
【００２４】
従って、本形態によれば、受皿部材１１が受ける衝撃を効果的に吸収することで、受皿部材１１に固定された固形化粧料Ｓに亀裂や欠けを生じさせることがないコンパクト容器を提供することができる。
【００２５】
ところで、本形態において、筒体部１４ａの上端には、図２に示すように、全周に亘って張り出し部１４ｂが形成されている。この張り出し部１４ｂには、切り欠き部１４ｎが形成されている。また、張り出し部１４ｂは、図３に示すように、膨出部１２ｃの上端１２ｅに載せ置かれている。
【００２６】
一方、同図に示すように、膨出部１２ｃの上端１２ｅには、凸部１２ｐが設けられている。衝撃吸収部材Ｍ１は、凸部１２ｐが切り欠き部１４ｎに合わさることで、容器本体１２の凹所Ｃ１において、内側面１２ｆ2に沿って回転することがない。即ち、凸部１２ｐ及び切り欠き部１４ｎは、衝撃吸収部材Ｍ１を位置決めする回り止め手段として機能する。
【００２７】
また、本形態では、図１に示すように、容器本体１２に、中枠部材１７が設けられている。中枠部材１７は、衝撃吸収部材Ｍ１の環状部１４の上端１４ｅに接触する張り出し部１７ａを有する。張り出し部１７ａは、同図に示すように、容器本体１２の内周面１２ｆ1に嵌合させることで、容器本体１２に対して固定する。これにより、衝撃吸収部材Ｍ１は、中枠部材１７によって更に強固に固定される。
【００２８】
また、張り出し部１７ａの内側には、アーム部１５を覆うカバー１７ｂが一体に設けられている。カバー１７ｂは、張り出し部１７ａから受皿収納部１６に向かって縮径しながら延在し、その内側が開口して受皿収納部１６の上端開口を開口させる。カバー１７ｂは、張り出し部１７ａとともに、アーム部１５を外部からの接触や粉化した固形化粧料等から保護することで、アーム部１５の耐久性を向上させる。
【００２９】
また、張り出し部１７ａからは、筒壁部１７ｃが上方に向かって拡径しながら延在し、その内側が開口して受皿収納部１６の上端開口を外界に通じさせる。筒壁部１７ｃには、同図に示すように、カバー１７ｂとともに、その内側にパフ等の化粧道具Ｔを収納するための空間を形成する。また、筒壁部１７ｃには、同図に示すように、蓋体１３に設けたフック１３ｆに引っ掛かって蓋体１３の開放を阻止するフック１７ｆとともに、これらフック１３ｆ及び１７ｆの引っ掛かりを、その押し込みにより解除するフックピース１８を設けることができる。
【００３０】
図４は、本発明の形態である、化粧用コンパクト容器２０である。なお、参考例の形態と同一又は略同一の部分は、同一符号をもってその説明を省略する。
【００３１】
本形態において、凹所Ｃ１は、周壁１２ａの内周面１２ｆ1で形成されている。衝撃吸収部材Ｍ２の環状部１４は筒体部１４ａのみからなる。衝撃吸収部材Ｍ２は、同図に示すように、環状部１４（筒体部１４ａ）を内周面１２ｆ1に嵌合させることで、容器本体１２に対して固定する。受皿収納部１６は、周壁１６ａの上端から周方向に全周に亘って張り出し部１６ｃを一体に備え、この張り出し部１６ｃの下端に３本のアーム部１５の先端が連結されている。
【００３２】
本形態では、図５に示すように、環状部１４の外側面に、凸部１４ｐが設けられている。凸部１４ｐは、図６に示すように、環状部１４の縦軸方向に全体に、又は、縦軸方向に局所的に、設けられている。
【００３３】
一方、同図に示すように、容器本体１２の内周面１２ｆ1には、縦溝１２ｎが形成されている。縦溝１２ｎは、凹所Ｃ１の縦軸方向に全体に、又は、縦軸方向に局所的に、形成されている。衝撃吸収部材Ｍ２は、凸部１４ｐは縦溝１２ｎに合わさることで、容器本体１２の凹所Ｃ１において、内周面１２ｆ1に沿って回転することがない。即ち、縦溝１２ｎ及び凸部１４ｐは、衝撃吸収部材Ｍ２を位置決めする回り止め手段として機能する。
【００３４】
本形態では、参考例の形態に係る、衝撃吸収部材Ｍ１において、環状部１４に設けた張り出し部１４ｂを省略することで、コンパクト容器の薄肉化を図っている。同様に、本形態では、中枠部材１７の筒壁部１７ｃを短縮化することで、コンパクト容器の更なる薄肉化を図っている。また、本形態に係る、コンパクト容器２０では、蓋体１３を外蓋体１３ａと内蓋体１３ｂの二層構造とすることなく、単層構造とすることで、コンパクト容器の薄肉化を図っている。
【００３５】
上述したところは、本発明の一形態を示したにすぎず、特許請求の範囲において、種々の変更を加えることができる。
【００３６】
例えば、本形態では、図１や図４に示すように、容器本体１２の底壁１２ｂ及び受皿収納部１６の底壁１６ｂにそれぞれ、貫通孔Ａ１及びＡ２が形成されている。貫通孔Ａ１及びＡ２には、棒材を挿入することができる。棒材で受皿部材１１を押圧すれば、受皿収納部１６から受皿部材１１を取り外すことができる。これにより、本形態に係る、コンパクト容器１０及び２０はそれぞれ、受皿部材１１を受皿収納部１６から着脱させることによって、新たな化粧料を収納した受皿部材を付替えるレフィル容器として機能する。
【００３７】
特に容器本体１２に形成した貫通孔Ａ１は、容器本体１２と蓋体１３との間に外気を導入するため、容器本体１２と蓋体１３との間が密閉された場合に、その負圧によって生じる衝撃吸収部材Ｍ１，Ｍ２の機能低下を防止するのに有効である。また、蓋体１３は、例えば、ピンＰにねじりばねを設けることで、フックピース１８を操作してフックを解除したのちは、自動的に開くように構成することができる。
【００３８】
また、上述した各形態に採用された構成要素等は、互いに適宜組み合わせて用いることも可能である。
【産業上の利用可能性】
【００３９】
本発明は、固体物を固定する受皿部材と、当該受皿部材を収納する凹所が形成された容器本体と、前記凹所の上端開口を開閉可能な蓋体とを備え、受皿部材と凹所との間に衝撃吸収部材が配置されるコンパクト容器であれば、様々なものに適用することができる。
【符号の説明】
【００４０】
１０    コンパクト容器（第１の形態）
１１    受皿部材
１１ａ  周壁
１１ｂ  底壁
１２    容器本体
１２ａ  周壁
１２ｂ  底壁
１２ｃ  膨出部
１２ｆ1 容器本体周壁内周面
１２ｆ2 膨出部内側面
１２ｆ3 凹所底面
１２ｎ  縦溝（第２の回り止め手段）
１２ｐ  凸部（第１の回り止め手段）
１３    蓋体
１３ｆ  フック
１４    環状部
１４ａ  筒体部
１４ｂ  張り出し部
１４ｎ  切り欠き部（第１の回り止め手段）
１４ｐ  凸部（第２の回り止め手段）
１５    アーム部
１６    受皿収納部
１６ａ  周壁
１６ｂ  底壁
１７    中枠部材
１７ａ  張り出し部
１７ｂ  カバー
１７ｃ  筒壁部
１７ｆ  フック
１８    フックピース
１９    鏡
２０    コンパクト容器（第２の形態）
Ａ１    貫通孔（容器本体）
Ａ２    貫通孔（受皿収納部）
Ｍ１    衝撃吸収部材（第１の形態）
Ｍ２    衝撃吸収部材（第２の形態）
【図１】
0005972583.tif 000002
【図２】
0005972583.tif 000003
【図３】
0005972583.tif 000004
【図４】
0005972583.tif 000005
【図５】
0005972583.tif 000006
【図６】
0005972583.tif 000007